(57)【特許請求の範囲】
【請求項１】
支持体上に下記一般式（２）〜（５）で表される色素を含有する層を有することを特徴とする感熱転写材料。
【化１】
0003704926.tif 000017
一般式（２）〜（５）において、Ｂはカプラー成分を表し一般式（２）〜（５）の窒素原子とカプラー成分の活性点で結合している。Ｒ３、Ｒ４は各々独立に、水素原子、置換基を有してもよいアルキル基、置換基を有してもよいアリール基、置換基を有してもよいヘテロ環基を表し、前記置換基を有してもよいアルキル基はメチル基、エチル基、ｎ−プロピル基、ヒドロキシエチル基、メタンスルフォニルアミノエチル基、シアノエチル基であり、前記置換基を有してもよいアリール基は置換基を有してもよいフェニル基であり、この場合の置換基はアルキル基、アルコキシ基、ハロゲン原子、アシルアミノ基、アシルオキシ基、カルバモイル基、オキシカルボニル基であり、前記置換基を有してもよいヘテロ環基は、ピリジル基、チエニル基、フリル基、オキサゾリル基、イミダゾリル基である。Ｒ３、Ｒ４は互いに結合し環を形成してもよく、この互いに結合して形成される環は、ピペリジン、モルホリン、ピロリジンである。Ｒ５はピリダジン環に置換可能な置換基を表し、このピリダジン環に置換可能な置換基は、メチル基、エチル基である。ｎは０ないし２を表し、ｎ＝２の場合、Ｒ５は同じ置換基であっても、また異なる置換基であってもよい。
前記Ｂは下記の一般式（６）から（１２）である。
【化２】
0003704926.tif 000018
一般式（６）中、Ｒ６はカルバモイル基もしくはシアノ基を表し、Ｒ７は置換基を有してもよいアルキル基、置換基を有してもよいアリール基、置換基を有してもよいヘテロ環を表す。＊印のついた炭素原子が活性点である。
一般式（７）中、Ｒ８はＲ７と同義であり、Ｒ９は置換基を有してもよいアルキル基、置換基を有してもよいアリール基、置換基を有してもよいヘテロ環、アシルアミノ基、アニリノ基、アミノ基、アルキルオキシ基、シアノ基、カルバモイル基、アルコキシカルボニル基、アリールオキシカルボニル基を表す。＊印のついた炭素原子が活性点である。
一般式（８）中、Ｒ１０、Ｒ１１はＲ９と同義である。＊印のついた炭素原子が活性点である。
一般式（９）中、Ｒ１２、Ｒ１３はＲ９と同義である。＊印のついた炭素原子が活性点である。
一般式（１０）中、Ｒ１４は置換基を有してもよいアルキル基、アシルアミノ基、ハロゲン原子、ウレイド基、アルコキシカルボニルアミノ基、アリールオキシカルボニルアミノ基を表す。ｐは１ないし４を表し、ｐが２、３、４の場合Ｒ１４は同じでも異なっていてもよい。＊印のついた炭素原子が活性点である。
一般式（１１）中、Ｒ１５はアシルアミノ基、スルフォニルアミノ基、ウレイド基、カルバモイル基、アルコキシカルボニルアミノ基、アリールオキシカルボニルアミノ基、アミノ基、アルキル基を表わし、ｑは１ないし３を表し、ｑが２、３、４の場合Ｒ１４は同じでも異なっていてもよい。＊印のついた炭素原子が活性点である。
一般式（１２）中、Ｒ１６、Ｒ１７はＲ７と同義である。＊印のついた炭素原子が活性点である。
【請求項２】
前記一般式（２）〜（５）で表される色素を含有することを特徴とするインクジェット記録液。
【発明の詳細な説明】
【０００１】
【発明の属する技術分野】
本発明は感熱転写記録、インクジェット記録、カラー電子写真等の画像記録材料に関し、そのうちでも特に、堅牢性に優れた色素を用いた感熱転写材料及びインクジェット記録液に関する。
【０００２】
【従来の技術】
従来、簡易な装置で高画質なフルカラー画像を得る方法として感熱転写材料を用いる方法が知られている。この方式においてカラー画像を形成するための色素は非常に重要であり、カラー画像の色再現性、各種堅牢性、最大濃度、熱感度等の諸性能に大きな影響を与える。これまで、スチリル系、ピリドンアゾ系、ピラゾールアゾ系、アントラキノン系、ナフトキノン系、インドアニリン系等の様々な色素が検討されているが、堅牢性、特に耐光性において満足のいく性能を有する色素はいまだ見いだされていない。
【０００３】
アゾメチン色素、インドアニリン色素のアニリン構造の部分をヘテロ環基に変えたものが近年検討され、耐光性を改良している。例えばピリジン系の色素としては特開平４−８９２８７号、同５−２３９３６７号、同６−７３００９号、同６−８０６３８号、同７−２３２４８２号等が知られている。チアゾール系の色素としては特開平３−９３８６２号、同４−２３４４６０号、同４−３３８５９２号、同５−３０９９５４号、同８−２８３５９１号等が知られている。チオフェン系の色素としては特開平６−１４３８３８号、同６−１４３８３９号が知られている。また、特開平６−２１９０５７号にはフラン系の色素、オキサゾール系の色素、ピロール系の色素等が開示されている。
しかしながら、これまで検討されてきた色素ではいまだ満足のいく耐光性を有する色素が見いだされてなく、耐光性の更なる改良が切望されている。
【０００４】
また、インクジェット記録においては、従来用いられたアゾ系色素、キサンテン系色素、トリフェニルメタン系色素等は堅牢性、特に耐光性において満足のいく性能を有していない。アゾメチン色素のうち、特にアニリン構造の部分をヘテロ環に変えたものが近年検討され、耐光性を改良している。例えばピリジン系の色素としては特開平９−１５０５７２号が知られているが、いまだ満足のいく耐光性を有する色素が見いだされてなく、耐光性の更なる改良が切望されている。
【０００５】
また、カラー電子写真においても感熱転写材料、及びインクジェット記録液同様に堅牢性、特に耐光性において満足のいく性能を有する色素はいまだ見いだされていない。
【０００６】
【発明が解決しようとする課題】
本発明の目的は、堅牢性、特に耐光性に優れた新規なピリダジン構造を含む色素を用いた感熱転写材料及びインクジェット記録液を提供することにある。
【０００７】
【課題を解決するための手段】
本発明の上記課題は、下記構成によって解決される。
１．支持体上に下記一般式（２）〜（５）で表される色素を含有する層を有することを特徴とする感熱転写材料。
【化３】
0003704926.tif 000002
一般式（２）〜（５）において、Ｂはカプラー成分を表し一般式（２）〜（５）の窒素原子とカプラー成分の活性点で結合している。Ｒ３、Ｒ４は各々独立に、水素原子、置換基を有してもよいアルキル基、置換基を有してもよいアリール基、置換基を有してもよいヘテロ環基を表し、前記置換基を有してもよいアルキル基はメチル基、エチル基、ｎ−プロピル基、ヒドロキシエチル基、メタンスルフォニルアミノエチル基、シアノエチル基であり、前記置換基を有してもよいアリール基は置換基を有してもよいフェニル基であり、この場合の置換基はアルキル基、アルコキシ基、ハロゲン原子、アシルアミノ基、アシルオキシ基、カルバモイル基、オキシカルボニル基であり、前記置換基を有してもよいヘテロ環基は、ピリジル基、チエニル基、フリル基、オキサゾリル基、イミダゾリル基である。Ｒ３、Ｒ４は互いに結合し環を形成してもよく、この互いに結合して形成される環は、ピペリジン、モルホリン、ピロリジンである。Ｒ５はピリダジン環に置換可能な置換基を表し、このピリダジン環に置換可能な置換基は、メチル基、エチル基である。ｎは０ないし２を表し、ｎ＝２の場合、Ｒ５は同じ置換基であっても、また異なる置換基であってもよい。
前記Ｂは下記の一般式（６）から（１２）である。
【化４】
0003704926.tif 000003
一般式（６）中、Ｒ６はカルバモイル基もしくはシアノ基を表し、Ｒ７は置換基を有してもよいアルキル基、置換基を有してもよいアリール基、置換基を有してもよいヘテロ環を表す。＊印のついた炭素原子が活性点である。
一般式（７）中、Ｒ８はＲ７と同義であり、Ｒ９は置換基を有してもよいアルキル基、置換基を有してもよいアリール基、置換基を有してもよいヘテロ環、アシルアミノ基、アニリノ基、アミノ基、アルキルオキシ基、シアノ基、カルバモイル基、アルコキシカルボニル基、アリールオキシカルボニル基を表す。＊印のついた炭素原子が活性点である。
一般式（８）中、Ｒ１０、Ｒ１１はＲ９と同義である。＊印のついた炭素原子が活性点である。
一般式（９）中、Ｒ１２、Ｒ１３はＲ９と同義である。＊印のついた炭素原子が活性点である。
一般式（１０）中、Ｒ１４は置換基を有してもよいアルキル基、アシルアミノ基、ハロゲン原子、ウレイド基、アルコキシカルボニルアミノ基、アリールオキシカルボニルアミノ基を表す。ｐは１ないし４を表し、ｐが２、３、４の場合Ｒ１４は同じでも異なっていてもよい。＊印のついた炭素原子が活性点である。
一般式（１１）中、Ｒ１５はアシルアミノ基、スルフォニルアミノ基、ウレイド基、カルバモイル基、アルコキシカルボニルアミノ基、アリールオキシカルボニルアミノ基、アミノ基、アルキル基を表わし、ｑは１ないし３を表し、ｑが２、３、４の場合Ｒ１４は同じでも異なっていてもよい。＊印のついた炭素原子が活性点である。
一般式（１２）中、Ｒ１６、Ｒ１７はＲ７と同義である。＊印のついた炭素原子が活性点である。
【０００８】
２．前記一般式（２）〜（５）で表される色素を含有することを特徴とするインクジェット記録液。
【０００９】
本発明の参考例として、下記一般式（１）で表されることを特徴とする色素が挙げられる。
一般式（１）  Ｂ＝Ｄ−Ａ
式中、Ａは少なくとも−ＮＲ１Ｒ２を置換基として有するピリダジン環を表し、Ｄとピリダジン環内の炭素原子で結合している。Ｂはカプラー成分を表し、Ｄとカプラー成分の活性点で結合している。Ｄは窒素原子又はＣＨを表す。Ｒ１、Ｒ２は各々独立に、水素原子、置換基を有してもよいアルキル基、置換基を有してもよいアリール基、置換基を有してもよいヘテロ環基を表し、Ｒ１、Ｒ２は互いに結合し環を形成してもよい。
【００１０】
【発明の実施の形態】
以下、本発明の詳細について説明する。
先ず、下記一般式（１）で表される色素について説明する。
一般式（１）    Ｂ＝Ｄ−Ａ
Ａは少なくとも−ＮＲ１Ｒ２を置換基として有するピリダジン環を表し、Ｄとピリダジン環内の炭素原子で結合しており、−ＮＲ１Ｒ２は、Ｄと結合しているピリダジン環の炭素原子に対してオルト位、もしくはパラ位に置換していることが好ましく、パラ位に置換していることが更に好ましい。
【００１１】
Ｒ１、Ｒ２は各々独立に、水素原子、置換基を有してもよいアルキル基、置換基を有してもよいアリール基、置換基を有してもよいヘテロ環基を表し、Ｒ１、Ｒ２は互いに結合し環を形成してもよいが、Ｒ１、Ｒ２がともにアルキル基であることが好ましく、この場合もＲ１、Ｒ２は互いに結合し環を形成してもよい。
また、Ｄは窒素原子又はＣＨを表すが、窒素原子であることがより好ましい。
【００１２】
一般式（１）で表される色素の中で好ましいものとして以下の一般式（２）から（５）が挙げられ、中でも一般式（２）が特に好ましい。
【００１３】
【化１】
0003704926.tif 000004
【００１４】
一般式（２）〜（５）において、Ｂはカプラー成分を表し一般式（２）〜（５）の窒素原子とカプラー成分の活性点で結合している。Ｒ３、Ｒ４は各々独立に、水素原子、置換基を有してもよいアルキル基、置換基を有してもよいアリール基、置換基を有してもよいヘテロ環基を表し、前記置換基を有してもよいアルキル基はメチル基、エチル基、ｎ−プロピル基、ヒドロキシエチル基、メタンスルフォニルアミノエチル基、シアノエチル基であり、前記置換基を有してもよいアリール基は置換基を有してもよいフェニル基であり、この場合の置換基はアルキル基、アルコキシ基、ハロゲン原子、アシルアミノ基、アシルオキシ基、カルバモイル基、オキシカルボニル基であり、前記置換基を有してもよいヘテロ環基は、ピリジル基、チエニル基、フリル基、オキサゾリル基、イミダゾリル基である。Ｒ３、Ｒ４は互いに結合し環を形成してもよく、この互いに結合して形成される環は、ピペリジン、モルホリン、ピロリジンである。Ｒ５はピリダジン環に置換可能な置換基を表し、このピリダジン環に置換可能な置換基は、メチル基、エチル基である。ｎは０ないし２を表し、ｎ＝２の場合、Ｒ５は同じ置換基であっても、また異なる置換基であってもよい。
【００１５】
一般式（２）〜（５）のＲ３、Ｒ４は各々独立に、水素原子、置換基を有してもよいアルキル基、置換基を有してもよいアリール基、置換基を有してもよいヘテロ環基を表すが、置換基を有してもよいアルキル基はメチル基、エチル基、ｎ−プロピル基、ヒドロキシエチル基、メタンスルフォニルアミノエチル基、シアノエチル基が具体例として挙げられ、置換基を有してもよいアリール基は置換基を有してもよいフェニル基であり、この場合の置換基はアルキル基、アルコキシ基、ハロゲン原子、アシルアミノ基、アシルオキシ基、カルバモイル基、オキシカルボニル基であり、置換基を有してもよいヘテロ環基は、ピリジル基、チエニル基、フリル基、オキサゾリル基、イミダゾリル基である。
【００１６】
一般式（１）〜（５）においてＢはカプラー成分を表すが、ここでいうカプラー成分とは、ｐ−フェニレンジアミン系化合物と酸化カップリングするカプラー成分のことであり、活性メチレン化合物、活性水素を有する化合物、フェノール類、ナフトール類等が挙げられる。Ｂは下記の一般式（６）から（１２）である。
【００１７】
【化２】
0003704926.tif 000005
【００１８】
一般式（６）中、Ｒ６はカルバモイル基もしくはシアノ基を表し、Ｒ７は置換基を有してもよいアルキル基、置換基を有してもよいアリール基、置換基を有してもよいヘテロ環を表す。＊印のついた炭素原子が活性点である。
【００１９】
一般式（７）中、Ｒ８はＲ７と同義であり、Ｒ９は置換基を有してもよいアルキル基、置換基を有してもよいアリール基、置換基を有してもよいヘテロ環、アシルアミノ基、アニリノ基、アミノ基、アルキルオキシ基、シアノ基、カルバモイル基、アルコキシカルボニル基、アリールオキシカルボニル基を表す。＊印のついた炭素原子が活性点である。
【００２０】
一般式（８）中、Ｒ１０、Ｒ１１はＲ９と同義である。＊印のついた炭素原子が活性点である。
【００２１】
一般式（９）中、Ｒ１２、Ｒ１３はＲ９と同義である。＊印のついた炭素原子が活性点である。
【００２２】
一般式（１０）中、Ｒ１４は置換基を有してもよいアルキル基、アシルアミノ基、ハロゲン原子、ウレイド基、アルコキシカルボニルアミノ基、アリールオキシカルボニルアミノ基を表す。ｐは１ないし４を表し、ｐが２、３、４の場合Ｒ１４は同じでも異なっていてもよい。＊印のついた炭素原子が活性点である。
【００２３】
一般式（１１）中、Ｒ１５はアシルアミノ基、スルフォニルアミノ基、ウレイド基、カルバモイル基、アルコキシカルボニルアミノ基、アリールオキシカルボニルアミノ基、アミノ基、アルキル基を表わし、ｑは１ないし３を表し、ｑが２、３、４の場合Ｒ１４は同じでも異なっていてもよい。＊印のついた炭素原子が活性点である。
一般式（１２）中、Ｒ１６、Ｒ１７はＲ７と同義である。＊印のついた炭素原子が活性点である。
以下に、一般式（１）のＡとして好ましい具体例を示す。
【００２４】
【化３】
0003704926.tif 000006
以下に、一般式（１）のＢ＝Ｄ−として好ましい具体例を示す。
【００２５】
【化４】
0003704926.tif 000007
【００２６】
【化５】
0003704926.tif 000008
【００２７】
【化６】
0003704926.tif 000009
【００２８】
以下に本発明の一般式（１）で表される色素の具体例を示すが、本発明はこれらに限定されない。
【００２９】
【表１】
0003704926.tif 000010
【００３０】
本発明の一般式（１）で表される化合物は以下の文献を参考に合成した化合物とカプラー成分から常法により合成することができる。
Ｊ．Ａ．Ｃ．Ｓ．，７３，ＰＰ１８７３−，（１９５１）
Ｊ．Ａ．Ｃ．Ｓ．，７３，ＰＰ３２２５−，（１９５４）
米国特許２，５７５，９５４号、フランス特許２，３６２，１４１号
【００３１】
以下に一般式（１）で表される化合物の具体的合成例を示す。
合成例
化合物Ｓ１｛  Ｊ．Ａ．Ｃ．Ｓ．，７３，ＰＰ１８７３−，（１９５１）、Ｊ．Ａ．Ｃ．Ｓ．，７３，ＰＰ３２２５−，（１９５４）、米国特許２，５７５，９５４号記載の方法を基に合成｝を１３．８ｇ、化合物Ｓ２を２５．４ｇを、メタノール４００ｍｌに加え、室温にて攪拌した。さらに、炭酸カリウム４１．４ｇを水１２０ｍｌに溶解した溶液を加えた。ここに、ペルオキソ硫酸ナトリウム（Ｍｗ２２８）５０．１ｇを水３００ｍｌに溶解した溶液を滴下した。滴下後さらに１時間室温にて攪拌した後、生成した色素を酢酸エチルにて抽出した。この酢酸エチル溶液を飽和食塩水で洗浄した後、酢酸エチルを留去し、色素残さを得た。この残さをアセトニトリルにて再結晶を行い目的の化合物２１．６ｇを得た。
合成した化合物はＮＭＲ、マススペクトルにより目的物であることを確認した。
【００３２】
【化７】
0003704926.tif 000011
【００３３】
次に本発明の色素を含有する感熱転写材料について説明する。本発明の色素を含有する感熱転写材料は、好ましくは支持体に少なくとも色素及びバインダーからなる色素含有層を有する。色素の含有量は支持体１ｍ２当たり０．０５〜１０ｇが好ましい。
【００３４】
バインダーとしては、アクリル樹脂、メタクリル樹脂、ポリスチレン、ポリカーボネート、ポリスルホン、ポリエーテルスルホン、ポリビニルブチラール、ポリビニルアセタール、ニトロセルロース、エチルセルロース等の溶剤可溶性ポリマーが好ましい。これらのバインダーは、１種又は２種以上を溶媒に溶かして用いるだけでなく、ラテックス分散の形で使用してもよい。バインダーの使用量としては、０．１〜２０ｇが好ましい。また、支持体１ｍ２当たり色素量に対するバインダー量は０．５倍〜２倍であることが好ましい。
【００３５】
前記色素含有層は本発明の色素をバインダーと共に溶解することによって、或いは溶媒中に微粒子状に分散させることによって感熱転写層形成用インク液を調整し、該インクを支持体上に塗布して適宜に乾燥することにより形成することができる。色素含有層の厚さは乾燥膜厚で０．１〜１０μｍが好ましい。
【００３６】
本発明の色素を含有する感熱転写材料としては、寸法安定性がよく、記録の際、感熱ヘッド等の加熱に耐えうるものであればよいが、コンデンサー紙、グラシン紙のような薄葉紙、ポリエチレンテレフタレート、ポリアミド、ポリカーボネートのような耐熱性のプラスチックフィルムが好ましく用いられる。支持体の厚さは２〜３０μｍが好ましく、また支持体にはバインダーとの接着性の改良や、色素の支持体への転写、染着を防止する目的で選択されたポリマーからなる下引き層を有することが好ましい。更に、支持体の裏面（色素含有層と反対側）には、ヘッドが支持体に粘着するものを防止する目的でスリッピング層を有してもよい。
【００３７】
本発明の色素を含有する感熱転写材料をフルカラー画像記録が可能な感熱転写材料に適用するには、イエロー色素を含有するイエロー感熱転写層、マゼンタ色素を含有するマゼンタ感熱転写層、シアン色素を含有するシアン感熱転写層の少なくとも合計３層を支持体上の同一表面上に順次繰り返して塗設することが好ましい。また、必要に応じて他に黒色画像形成物質を含む感熱転写層の合計４層が同一表面上に順次に繰り返して塗設されてもよい。
【００３８】
本発明の色素を含有する感熱転写材料を用いた記録方法としては、例えば、前記感熱転写材料の色素含有層と後述する受像材料とを重ね合わせてから、画像情報に応じた熱を感熱転写材料に与え、色素による画像を受像材料上に形成することができる。
【００３９】
受像材料は支持体上に受像層を有するものが用いられる。受像材料の支持体としては、紙、プラスチックフィルム、または紙−プラスチックフィルム複合体等を用いることができる。具体的には支持体としては、特開平３−５４５５６号５ページ右上１７行〜左上１１行に記載の支持体が挙げられる。受像層はポリマーバインダーから構成される。
【００４０】
ポリマーバインダーとしては熱可塑性ポリマーが好ましく、例えば、ポリエステル樹脂、ポリ塩化ビニル樹脂、塩化ビニルと他のモノマー（例えば、酢酸ビニル等）との共重合樹脂、ポリビニルブチラール、ポリビニルピロリドン、ポリカーボネート等の１種又は２種以上のポリマー層を形成してなる。
【００４１】
次に本発明の色素を含有するインクジェット記録液について説明する。本発明の色素を含有するインクジェット記録液は、好ましくは水系インクジェット記録液、油系インクジェット記録液、固体（相変化）インクジェット記録液等を用いることができるが、水系インクジェット記録液（例えば、インク総重量当たり１０重量％以上の水を含有する水系インクジェット記録液等）を特に好ましく用いることができる。
【００４２】
水系インクジェット記録液は、本発明の色素の他に溶剤として水と水溶性有機溶媒を併用することが好ましい。
【００４３】
水溶性有機溶媒の例としては、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。好ましい水溶性有機溶媒としては、多価アルコール類が挙げられる。水溶性有機溶媒は単独もしくは複数を併用してもよい。水溶性有機溶媒のインク中の添加量としては、総量で５〜６０重量％であり、好ましくは１０〜３０重量％である。
【００４４】
上記のような水系インクジェット記録液において、色素はその溶媒系に可溶であればそのまま溶解して用いることができる。一方、そのままでは不溶の固体である場合、色素を種々の分散機（例えば、ボールミル、サンドミル、アトライター、ロールミル、アジテーターミル、ヘンシェルミキサー、コロイドミル、超音波ホモジナイザー、パールミル、ジェットミル、オングミル等）を用いて微粒子化するか、あるいは可溶である有機溶媒に色素を溶解した後に、高分子分散剤や界面活性剤とともにその溶媒系に分散させることができる。更に、そのままでは不溶の液体又は半溶融状物である場合、そのままかあるいは可溶である有機溶媒に溶解して、高分子分散剤や界面活性剤とともにその溶媒系に分散させることができる。このような水系インクジェット記録液の具体的調整法については、例えば、特開平５−１４８４３６号、同５−２９５３１２号、同７−９７５４１号、同７−８２５１５号、同７−１１８５８４号等の明細書に記載の方法を参照することができる。
【００４５】
上記したような水系、油系、固体の各インクジェット記録液は、その飛翔時の粘度として４０ｃｐｓ以下が好ましく、３０ｃｐｓ以下であることがより好ましい。
【００４６】
本発明のインクジェット記録液は、その飛翔時の表面張力として２０ｄｙｎ／ｃｍ以上が好ましく、４０〜６０ｄｙｎ／ｃｍであることがより好ましい。
【００４７】
色素濃度としては、全インクジェット記録液量の０．１〜２５重量％の範囲で使用されることが好ましく、０．５〜１０重量％の範囲であることがより好ましい。
【００４８】
インクジェット記録液においては、吐出安定性、プリントヘッドやインクカートリッジ適合性、保存安定性、画像保存性、その他の諸性能向上の目的に応じて、粘度調製剤、表面張力調製剤、比抵抗調製剤、皮膜形成剤、分散剤、界面活性剤、紫外線吸収剤、酸化防止剤、退色防止剤、防ばい剤、防錆剤等を添加することもできる。
【００４９】
インクジェット記録液においては、その使用する記録方式に関して特に制約はなく、コンティニュアス方式及びオンデマンド方式のインクジェットプリンタ用のインクジェット記録液として好ましく使用することができる。オンデマンド方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット型等）、静電吸引方式（例えば、電界制御型、スリットジェット型等）、放電方式（例えば、スパークジェット型等）等を具体的な例として挙げることができる。
【００５０】
【実施例】
実施例により本発明を更に具体的に説明するが、本発明はこの実施例における形態に限定されるものではない。
実施例１
感熱転写材料の作製及び画像評価
［インク調整］
下記材料を混合して本発明に係る色素を含有するインクを得た。
【００５１】
色素  Ｎｏ．１                                              ５ｇ
ポリビニルブチラール樹脂（ＢＬ−１、積水化学工業社製）      ５ｇ
メチルエチルケトン                                    ２００ｍｌ
【００５２】
［感熱転写材料の作製］
上記インクを厚さ４．５μｍのポリエチレンテレフタレートベース上にワイヤーバーを用いて乾燥後の塗布量が０．８ｇ／ｍ２になるように塗布、乾燥し、ポリエチレンテレフタレートベース上に感熱転写層を形成してなる感熱転写材料１を作製した。
なお、上記ポリエチレンテレフタレートベースの裏面には、スティッキング防止層としてシリコン変性ウレタン樹脂（ＳＰ−２１０５、大日精化社製）を含むニトロセルロース層が設けられている。
【００５３】
［受像材料の作製］
紙の両面にポリエチレンをラミネートした支持体（片側のポリエチレン層に白色顔料（ＴｉＯ２）と青味剤を含む）の上に、受像層としてエステル変性シリコン（付量０．１５ｇ／ｍ２）を含むポリエステル樹脂を含むメチルエチルケトン溶液をポリエステル樹脂の付量が５ｇ／ｍ２になるように塗布し、受像材料１を得た。
【００５４】
［感熱転写画像の形成］
前記感熱転写材料１と受像材料１を重ね、感熱ヘッドを感熱転写材料の裏面から当てて、下記記録条件で画像記録を行ったところ、階調性の優れたイエロー画像（画像１）が得られた。
【００５５】
（記録条件）
主走査、副走査の記録密度：８ドット／ｍｍ
消費電力：０．６Ｗ／ドット
加熱時間：２０ｍｓｅｃから０．２ｍｓｅｃの間で段階的に加熱時間を調整。
画像１を得た方法と同様の方法で、表２に記載の色素を用いて、感熱転写材料１〜２６を作製し、対応する画像を得た。
なお、比較色素として、下記の構造のものを用いた。
【００５６】
【化８】
0003704926.tif 000012
【００５７】
［感熱転写画像の評価］
（耐光性評価）
前記方法で得た反射濃度約１．０のサンプルを、Ｘｅフェードメーターで照射し（７００００Ｌｘ、５０時間）反射濃度変化率を下記のように求めた。
反射濃度変化率＝（Ｘｅ照射後の反射濃度）／（Ｘｅ照射前の反射濃度）×１００
比較化合物の反射濃度変化率を１００としたときの相対値を表２に記す。
【００５８】
【表２】
0003704926.tif 000013
表２の結果から、本発明のピリダジン構造を含む色素を含有する感熱転写材料から形成した画像は高い耐光性を有していることが判った。
【００５９】
実施例２
［インク作製］
表３に記載の色素を３重量％、ジエチレングリコール１９重量％、トリエチレングリコールモノブチルエーテル９重量％、界面活性剤としてサーフィノール４６５を０．６重量％、残部をイオン交換水としてインクを作製した。
なお、比較色素として、下記の構造のものを用いた。
【００６０】
【化９】
0003704926.tif 000014
【００６１】
［インクジェット画像の形成］
上記インクをインクジェットプリンタＭＪ−５０００Ｃ（セイコーエプソン社製、電気−機械変換方式）によって、普通紙（Ｘｅｒｏｘ４０２４）に記録、画像サンプルを得た。
【００６２】
【化１０】
0003704926.tif 000015
【００６３】
［インクジェット画像の評価］
（耐光性評価）
前記方法で得た反射濃度約１．０のサンプルを、Ｘｅフェードメーターで照射し（７００００Ｌｘ、５０時間）反射濃度変化率を下記のように求めた。
反射濃度変化率＝（Ｘｅ照射後の反射濃度）／（Ｘｅ照射前の反射濃度）×１００
比較化合物の反射濃度変化率を１００としたときの相対値を表３に記す。
【００６４】
【表３】
0003704926.tif 000016
表３の結果から、本発明のピリダジン構造を含む色素を含有するインクジェット記録液から形成した画像は高い耐光性を有していることが判った。これらは、本発明のピリダジン構造を含む色素の高い耐光性によるものである。
【００６５】
【発明の効果】
本発明によれば、堅牢性、特に耐光性に優れた新規なピリダジン構造を含む色素を用いた感熱転写材料及びインクジェット記録液を提供することができる。